(57)【要約】  封入体、組成物、パッケージ化製品及びこのような封入体を含むディスプレイ、並びに、このような封入体、組成物、パッケージ化製品及びディスプレイの製造及び使用プロセス。このような組成物は、組成物及び／又は部位に、向上した有益特性を付与できる向上した付着及び保持特性を有している。【特許請求の範囲】
【請求項１】
有益剤を含むコアと、前記コアを少なくとも封入する外殻と、を含む封入体を含む組成物であって、前記封入体が密度バランス調整剤を更に含み、前記組成物が消費者製品である、組成物。
【請求項２】
前記封入体の有益剤が、香料、染料、蛍光増白剤、布地ケア剤、漂白剤、金属触媒、漂白増進剤、溶媒、酵素、及びこれらの混合物からなる群から選択される、請求項１に記載の組成物。
【請求項３】
前記封入体の密度バランス調整剤が、約１超過の密度を有する有機物質、無機酸化物、無機オキシ塩化物、無機ハロゲン化物、塩、及びこれらの混合物からなる群から選択される、請求項１に記載の組成物。
【請求項４】
前記封入体の外殻が、ポリエチレン、ポリアミド、ポリスチレン、ポリイソプレン、ポリカーボネート、ポリエステル、ポリアクリレート、ポリ尿素、ポリウレタン、ポリオレフィン、多糖類、エポキシ樹脂、ビニルポリマー、及びこれらの混合物からなる群から選択される高分子非水溶性物質を含む、請求項１に記載の組成物。
【請求項５】
前記封入体が約０．８〜約１．２の密度を有する、請求項１に記載の組成物。
【請求項６】
前記密度バランス調整剤の少なくとも一部が前記外殻に含有される、請求項１に記載の組成物。
【請求項７】
前記コアが前記密度バランス調整剤の少なくとも一部を含む、請求項１に記載の組成物。
【請求項８】
前記封入体が香料マイクロカプセルである、請求項１に記載の組成物。
【請求項９】
前記組成物が１つ以上の流体を含み、前記組成物が約１．５ｃｍ／年未満、約１．０ｃｍ／年未満の沈降速度を有する、請求項１に記載の組成物。
【請求項１０】
前記組成物が１つ以上の流体を含み、前記封入体と少なくとも１つの前記１つ以上の流体との密度比が約０．９：１〜約１．１：１であるような密度を有する、請求項１に記載の組成物。
【請求項１１】
前記封入体の密度が、前記封入体と前記１つ以上の流体との密度比が約０．９：１〜約１．１：１であるようになっている、請求項１０に記載の組成物。
【請求項１２】
前記組成物が洗浄及び／又は処理成分を含む、請求項１０又は１１に記載の組成物。
【請求項１３】
前記封入体が香料マイクロカプセルである、請求項１０又は１１に記載の組成物。
【請求項１４】
前記洗浄及び／又は処理剤が、漂白剤、漂白剤前駆体、金属触媒、漂白増進剤、過酸、ジアシル、酵素、及びこれらの混合物からなる群から選択される、請求項１２に記載の組成物。
【発明の詳細な説明】
【技術分野】
【０００１】
本出願は、封入体、組成物、このような封入体を含む製品、並びに、このような封入体の製造及び使用プロセスに関する。
【背景技術】
【０００２】
香料、染料、蛍光増白剤、布地ケア剤、漂白剤、金属触媒、漂白増進剤、溶媒、酵素、防虫剤、シリコーン、ワックス、芳香剤、ビタミン、冷却剤及びスキンケア剤などの有益剤は、高価であり、パーソナルケア組成物、洗浄組成物及び布地ケア組成物などの組成物中で高濃度で採用した場合でもあまり有効ではないことがある。結果として、このような有益剤の効率を最大限にすることが望ましい。このような目的を達成する１つの方法は、このような有益剤の送達効率を高めることである。残念ながら、このような薬剤の物理的特性又は化学的特性が失われる恐れがあるか、このような薬剤が、他の組成成分又は処理される部位と不適合である恐れがあるか、又はこのような薬剤がすすぎ若しくは乾燥などの適用後プロセス中に失われる恐れがある場合、有益剤の送達効率を改善するのは難しい。
【０００３】
有益剤の送達効率を高める１つの方法は、有益剤が所望される時点で、例えば、封入体の外殻を破砕することで、初めて有益剤が放出されるように、封入することである。しかしながら、流体組成物中では、上述の封入体は、流体の底部又は表面などの特定の流体領域に集中する恐れがある。このような場合には、流体が分配される時点で得られる封入体の量は、劇的に多いか又は少ないかであり得る。それゆえに、有益剤の所望の有効性は得られない。
【発明の概要】
【発明が解決しようとする課題】
【０００４】
したがって、流体における有益剤送達効率の改善をもたらす封入体に対して必要が存在する。理論に束縛されるものではないが、本出願者らは、本明細書に開示される封入体がこのような必要を満たし、流体の特定領域に集中しないようにこのような封入体は調製されると考えている。
【課題を解決するための手段】
【０００５】
封入体、組成物、パッケージ化製品及びこのような封入体を含むディスプレイ、並びに、このような封入体、組成物、パッケージ化製品及びディスプレイの製造及び使用プロセスが開示される。このような封入体は、有益剤を含むコアと、上記コアを少なくとも部分的に囲む外殻と、を含み、このような封入体は密度バランス調整剤を更に含む。
【発明を実施するための形態】
【０００６】
定義
本明細書で用いる「消費者製品」は、販売される形態での使用又は消費を意図し、後続する商業的製造又は変性を意図しない、ベビーケア、ビューティケア、衣類及びホームケア、ファミリーケア、フェミニンケア、ヘルスケア、スナック、並びに／又は飲料製品若しくは装置を意味する。このような製品としては、おむつ、よだれかけ、拭取り布；漂白、着色、染色、コンディショニング、シャンプー、スタイリングといった処理を毛髪（ヒト、イヌ、及び／又はネコ）に行うための製品、及び／又はこれに関する方法；脱臭剤及び制汗剤；パーソナル洗浄；化粧品；クリーム、ローションなどのスキンケア、及び消費者用の他の局所適用製品；剃毛製品；布地、硬質表面並びに布地及びホームケアの領域のあらゆる他の表面の処理を行うための製品及び／又はこれに関する方法、例えば、空気ケア、自動車ケア、食器洗浄、布地コンディショニング（柔軟化）、洗濯洗剤、洗濯及びリンス用添加剤並びに／又はケア剤、硬質表面洗浄及び／又は処理、並びに消費者又は業務用の他の洗浄；トイレットペーパー、フェイシャルティシュー、ペーパーハンカチーフ、及び／又はペーパータオルに関する製品、及び／又は方法；タンポン、女性用ナプキン；歯磨き粉、歯磨き用ジェル、歯磨き用リンス、入れ歯用接着剤、歯の漂白剤などのオーラルケアに関する製品、及び／又は方法；咳、及び風邪の治療薬、鎮痛剤、処方箋薬、ペットヘルス及び栄養、並びに浄水などの店頭販売ヘルスケア製品；主として普段の食事の間における消費又は食事の付随食品としての消費を意図した加工食品（非限定的な例としては、ポテトチップス、トルティーヤチップス、ポップコーン、プレッツェル、コーンチップ、シリアルバー、野菜チップス又はクリスプ、スナックミックス、パーティミックス、マルチグレインチップス、スナッククラッカー、チーズスナック、ポークラインズ、コーンスナック、ペレットスナック、押出し加工スナック、及びベーグルチップスが挙げられる）；並びにコーヒー、が挙げられるが、これらに限定されない。
【０００７】
本明細書で使用するとき、用語「洗浄及び／又は処理組成物」としては、特に指示のない限り、顆粒又は粉末状の多目的、すなわち、「強力」洗浄剤、特に洗浄洗剤；液体、ゲル又はペースト状の多目的洗浄剤、特にいわゆる強力液体型；液体高級衣類用洗剤；手洗い食器洗浄剤又は軽質食器洗浄剤、特に泡立ちのよいもの；家庭又は業務用の各種の錠剤、顆粒、液体、及びすすぎ補助剤型などの食器洗い機用洗剤；抗菌手洗い用型、手洗い石鹸、マウスウォッシュ、義歯洗浄剤、歯磨剤、車又はカーペット用シャンプー、浴室洗浄剤などの液体洗浄殺菌剤；ヘアシャンプー及びヘアリンス；シャワージェル及び発泡入浴剤、並びに金属洗浄剤；並びに、漂白補助剤、及び「ステインスティック」又は前処理用型などの洗浄助剤、又はドライヤー付与シート、乾燥及び湿潤型拭取り布並びにパッド、不織布基材、及びスポンジなどの基材付与製品；並びにスプレー剤、及びミスト剤が挙げられる。
【０００８】
本明細書で使用するとき、用語「布地ケア組成物」は、他に指示がない限り、布地柔軟化組成物、布地向上組成物、布地フレッシュニング組成物及びこれらの組合せを含む。
【０００９】
本明細書で使用するとき、請求項で使用されるときの冠詞「ａ」及び「ａｎ」は、請求又は記載されていることの１つ以上を意味すると理解される。
【００１０】
本明細書で使用するとき、「含む」、「挙げられる」及び「含んでいる」（include, includes and including）という用語は、「含まれる（挙げられる）が、これらに限定されない」という表現と同義であることを意味する。
【００１１】
本明細書で使用するとき、用語「固体」は、顆粒、粉末、塊、及び錠剤の製品形態を含む。
【００１２】
本明細書で用いるとき、用語「部位（situs）」には、紙製品、繊維、衣服、硬質表面、毛髪、及び皮膚が含まれる。
【００１３】
本出願人らの発明のパラメータの各値を求めるためには、本出願の試験方法の項で開示する試験方法を用いるべきである。
【００１４】
特記しない限り、成分又は組成物の濃度は全て、当該成分又は組成物の活性部分に関するものであり、このような成分又は組成物の市販の供給源に存在し得る不純物、例えば残留溶媒又は副生成物は除外される。
【００１５】
百分率及び比率は全て、特に指示しない限り、重量で計算される。百分率及び比率は全て、特に指示しない限り、組成物全体を基準にして計算される。
【００１６】
本明細書全体にわたって記載されるあらゆる最大数値限定は、それより小さいあらゆる数値限定を、そのような小さい数値限定が本明細書に明示的に記載されたものとして包含すると理解されるべきである。本明細書全体を通じて記載される最小数値限定は、それより大きいあらゆる数値限定を、そのような大きい数値限定が本明細書に明確に記載されているかのように含む。本明細書全体を通じて記載される数値範囲は、そのようなより広い数値範囲内に入るそれよりも狭いあらゆる数値範囲を、そのようなより狭い数値範囲が全て本明細書に明確に記載されているかのように含む。
【００１７】
封入体
１つの態様では、有益剤を含むコアと、上記コアを少なくとも封入する外殻と、を含む封入体が開示され、上記封入体は、表１の密度バランス調整剤のような密度バランス調整剤を更に含む。
【００１８】
１つの態様では、上記封入体の有益剤は、香料、染料、蛍光増白剤、布地ケア剤、漂白剤、金属触媒、漂白増進剤、溶媒、酵素、及びこれらの混合物からなる群から選択される。
【００１９】
１つの態様では、上記封入体の密度バランス調整剤は、約１超過の密度を有する有機物質、無機酸化物、無機オキシ塩化物、無機ハロゲン化物、塩、及びこれらの混合物からなる群から選択され、好ましくは上記有機物質は表１の密度バランス調整剤からなる群から選択され、好ましくは上記塩は水酸化物塩、炭酸塩、及びこれらの混合物から選択され、好ましくは上記無機酸化物は酸化チタンを含む。
【００２０】
１つの態様では、上記封入体の外殻は、ポリエチレン、ポリアミド、ポリスチレン、ポリイソプレン、ポリカーボネート、ポリエステル、ポリアクリレート、ポリ尿素、ポリウレタン、ポリオレフィン、多糖類、エポキシ樹脂、ビニルポリマー、及びこれらの混合物からなる群から選択される高分子非水溶性物質を含み、好ましくは、重合化／多縮合メラミン及びホルムアルデヒドを含む。
【００２１】
１つの態様では、上記封入体は、約０．８〜約１．２、約０．９〜約１．１、約０．９７〜約１．１の密度を有し得る。
【００２２】
１つの態様では、上記密度バランス調整剤の少なくとも一部は、上記封入体の外殻中に含有される。
【００２３】
１つの態様では、上記封入体のコアは、上記密度バランス調整剤の少なくとも一部を含む。
【００２４】
１つの態様では、上記封入体は、香料マイクロカプセルである。
【００２５】
有用な密度バランス調整剤
【表１−１】
2012516370.tif 000002
【表１−２】
2012516370.tif 000003
【表１−３】
2012516370.tif 000004
【表１−４】
2012516370.tif 000005
【００２６】
封入体の製造プロセス
好適な封入体並びに好適なシェル材料の製造方法は、米国特許第６，８６９，９２３（Ｂ１）号、米国公開特許出願第２００５／０２７６８３１（Ａ１）号及び２００７／０２０２６３（Ａ１）号に記載されている。本明細書で開示されるプロセス用に好適な設備としては、連続撹拌槽型反応器、ホモジナイザー、タービン撹拌器、再循環ポンプ、パドルミキサー、プラウ剪断（ploughshear）ミキサー、リボンブレンダー、垂直軸造粒機及びドラムミキサー（両方ともバッチ式であり、利用可能な場合は連続プロセスの形状のものには、スプレー乾燥機、及び押出成形機）が挙げられる。そのような設備は、Ｌｏｄｉｇｅ  ＧｍｂＨ（Ｐａｄｅｒｂｏｒｎ，Ｇｅｒｍａｎｙ）、Ｌｉｔｔｌｅｆｏｒｄ  Ｄａｙ，Ｉｎｃ．（Ｆｌｏｒｅｎｃｅ，Ｋｅｎｔｕｃｋｙ，Ｕ．Ｓ．Ａ．）、Ｆｏｒｂｅｒｇ  ＡＳ（Ｌａｒｖｉｋ，Ｎｏｒｗａｙ）、Ｇｌａｔｔ  Ｉｎｇｅｎｉｅｕｒｔｅｃｈｎｉｋ  ＧｍｂＨ（Ｗｅｉｍａｒ，Ｇｅｒｍａｎｙ）、Ｎｉｒｏ（Ｓｏｅｂｏｒｇ，Ｄｅｎｍａｒｋ）、Ｈｏｓｏｋａｗａ  Ｂｅｐｅｘ  Ｃｏｒｐ．（Ｍｉｎｎｅａｐｏｌｉｓ，Ｍｉｎｎｅｓｏｔａ，Ｕ．Ｓ．Ａ．）、Ａｒｄｅ  Ｂａｒｉｎｃｏ（Ｎｅｗ  Ｊｅｒｓｅｙ，Ｕ．Ｓ．Ａ．）から入手可能である。
【００２７】
封入体を含む組成物
１つの態様では、本明細書で開示されている封入体のうちの任意の態様を含む組成物が、開示される。
【００２８】
１つの態様では、上記組成物は１つ以上の流体を含んでもよく、上記組成物は、約１．５ｃｍ／年未満、約１．０ｃｍ／年未満、約０．５ｃｍ／年未満、又は更には約０．１ｃｍ／年〜約０．５ｃｍ／年の沈降速度を有する。
【００２９】
１つの態様では、上記組成物は１つ以上の流体を含んでもよく、上記封入体と少なくとも１つの上記１つ以上の流体との密度比が約０．９：１〜約１．１：１、約０．９８：１〜約１．０２：１、約０．９９：１〜約１．０１：１又は更には１：１であるような密度を有する。
【００３０】
１つの態様では、上記組成物は封入体を含んでもよく、ここで、上記封入体の密度は、上記封入体と組成物の流体の１つ以上の流体との密度比が約０．９：１〜約１．１：１、約０．９８：１〜約１．０２：１、約０．９９：１〜約１．０１：１又は更には１：１であり得るようにされ得る。
【００３１】
１つの態様では、上記組成物はいずれも洗浄及び／又は処理成分を含んでもよい。
【００３２】
１つの態様では、上記組成物の封入体はいずれも香料マイクロカプセルであってもよい。
【００３３】
１つの態様では、上記組成物はいずれも、漂白剤、漂白剤前駆体、金属触媒、漂白増進剤、過酸、ジアシル、酵素、及びこれらの混合物からなる群から選択される洗浄及び／又は処理剤を含み、好ましくは漂白増進剤及び漂白剤前駆体及びこれらの混合物を含み、より好ましくは香料及びその混合物を含む。
【００３４】
１つの態様では、本明細書に開示される任意の組成物は、消費者製品であり得る。
【００３５】
採用される封入体の精確な濃度は消費者製品のタイプ及び最終用途に依存するが、１つの態様では、消費者製品は、組成物全体の重量に基づいて、少なくとも約０．０１重量％、約０．０１重量％〜約８０重量％、又は更には約０．０２重量％〜約１０重量％の、本明細書に開示されている封入体を含み得る。
【００３６】
１つの態様では、コンパクトな消費者製品が開示される。
【００３７】
１つの態様では、消費者製品製剤全体の重量に基づいて約０重量％〜約１５重量％、約０．５重量％〜約１０重量％、又は更には約１重量％〜約８重量％の水という水分含量を有する液体洗剤を含む消費者製品が、開示される。
【００３８】
１つの態様では、本明細書に開示されている封入体及び、本出願人による有益剤送達システムに加えて、界面活性剤、酵素、ポリマー、染料、純香料、香料送達システム、及びこれらの混合物からなる群から選択される材料の少なくとも１つの実施形態を含む消費者製品が、開示される。好適な香料送達システムは、米国特許出願公開第２００７／０２７５８６６（Ａ１）号に記載されている。
【００３９】
１つの態様では、消費者製品は、本明細書で開示されている封入体と少なくとも１つの洗浄及び／又は処理組成物又は布地ケア添加成分とを含む、洗浄及び／又は処理組成物又は布地ケア組成物である。
【００４０】
１つの態様では、洗浄組成物は、洗浄組成物全体の重量に基づいて、このような封入体を約０．００５重量％〜約５重量％含んでもよい。１つの態様では、布地処理組成物は、布地処理組成物全体の重量に基づいて、このような封入体を約０．００５重量％〜約２０重量％含んでもよい。
【００４１】
レオロジー変性剤
本発明の組成物は、レオロジー変性剤を含んでもよい。レオロジー変性剤は、非ポリマー結晶性のヒドロキシ官能性材料、組成物の水性液体マトリックスにずり減粘特性を付与するポリマーレオロジー変性剤からなる群から選択してもよい。１つの態様では、このようなレオロジー変性剤は、水性液体組成物に、剪断速度約２０秒−１及び２１℃にて１〜７０００ｃｐｓの高剪断粘度、及び、低剪断（２１℃において剪断速度０．５秒−１）にて１０００ｃｐｓ超又は更には１０００ｃｐｓ〜２００，０００ｃｐｓの粘度を付与する。１つの態様では、洗浄及び処理組成物のために、このようなレオロジー変性剤は、水性液体組成物に、約２０秒−１及び２１℃にて５０〜３０００ｃｐｓの高剪断粘度、及び、低剪断（２１℃において剪断速度０．５秒−１）にて１０００ｃｐｓ超又は更には１０００ｃｐｓ〜２００，０００ｃｐｓの粘度を付与する。本発明による粘度は、直径４０ｍｍ及び間隙サイズ５００μｍのプレート直径を有する平板鋼スピンドルを使用する、ＴＡ  ｉｎｓｔｒｕｍｅｎｔｓ製ＡＲ  ２０００レオメーターを使用して測定される。２０秒−１での高剪断粘度、及び０．５秒−１での低剪断粘度は、２１℃において３分間の０．１秒−１〜２５秒−１の剪断速度対数掃引から得ることができる。結晶性ヒドロキシル官能性材料はレオロジー変性剤であり、それはその場でのマトリックス中の結晶化により組成物のマトリックスの全体にわたって糸状構造系を形成する。ポリマーレオロジー変性剤は、好ましくはポリアクリレート、ポリマーゴム、その他の非ゴム多糖類、及びこれらのポリマー材料の組み合わせから選択される。
【００４２】
一般的にレオロジー変性剤は本明細書の組成物の、０．０１重量％〜１重量％、好ましくは０．０５重量％〜０．７５重量％、より好ましくは０．１重量％〜０．５重量％を含む。
【００４３】
本発明の組成物に特に有用である構造剤は、マトリックス内でその場で結晶化されると、液体マトリックスの全体にわたって糸様構造系を形成することができる非高分子（従来のアルコキシル化を除く）結晶性ヒドロキシ官能性材料を含む。このような物質は、一般に、結晶性ヒドロキシル含有脂肪酸、脂肪酸エステル又は脂肪ワックスとして特徴付けることができる。１つの態様では、レオロジー変性剤としては、ヒマシ油及びその誘導体などのヒドロキシル含有レオロジー変性剤が挙げられる。１つの態様では、レオロジー変性剤としては、硬化ヒマシ油及び硬化ヒマシワックスなどの硬化ヒマシ油誘導体が挙げられ得る。市販のヒマシ油系結晶性ヒドロキシル含有レオロジー変性剤としては、Ｒｈｅｏｘ，Ｉｎｃ．（現Ｅｌｅｍｅｎｔｉｓ）からのＴＨＩＸＣＩＮ（商標）が挙げられる。
【００４４】
以上に記載された非高分子結晶性ヒドロキシル含有レオロジー変性剤の他のタイプのレオロジー変性剤が本明細書の液体洗剤組成物に利用されてもよい。また、水性液体マトリックスにずり減粘特性を提供する高分子物質が使用されてもよい。
【００４５】
好適なポリマーレオロジー変性剤としては、ポリアクリレート、多糖類又は多糖類誘導体のタイプのものが挙げられる。レオロジー変性剤として典型的に用いられる多糖類誘導体としては、ポリマーゴム材料が含まれる。そのようなゴムとしては、ペクチン、アルギネート、アラビノガラクタン（アラビアゴム）、カラギーナン、ジェランガム、キサンタンガム及びグアーガムが挙げられる。
【００４６】
本明細書でポリマーレオロジー変性剤が使用される場合、このタイプの好適な材料はジェランガムである。ジェランガムは、シュードモナス・エロディア（Pseudomonaselodea）ＡＴＣＣ  ３１４６１の発酵によって調製されるヘテロ多糖である。ジェランガムは、商標ＫＥＬＣＯＧＥＬでＣＰ  Ｋｅｌｃｏ  Ｕ．Ｓ．，Ｉｎｃ．により市販されている。
【００４７】
更なる代替の好適なレオロジー変性剤としては、溶媒とポリカルボキシレートポリマーとの組み合わせが挙げられる。より詳細には、溶媒はアルキレングリコールであり得る。１つの態様では、溶媒は、ジプロピレングリコールを含んでもよい。１つの態様では、ポリカルボキシレートポリマーは、ポリアクリレート、ポリメタクリレート又はこれらの混合物を含んでもよい。１つの態様では、溶媒は、組成物全体の重量に基づいて、組成物の０．５重量％〜１５重量％、又は、２重量％〜９重量％の濃度で存在し得る。１つの態様では、ポリカルボキシレートポリマーは、組成物全体の重量に基づいて、０．１重量％〜１０重量％、又は、２重量％〜５重量％の濃度で存在し得る。１つの態様では、溶媒成分は、ジプロピレングリコールと１，２−プロパンジオールとの混合物を含み得る。１つの態様では、ジプロピレングリコールと１，２−プロパンジオールとの比は、３：１〜１：３、又は更には１：１であり得る。１つの態様では、ポリアクリレートは、不飽和モノ−又はジ−カルボン酸と（メタ）アクリル酸のＣ１〜Ｃ３０アルキルエステルとのコポリマーを含み得る。別の態様では、レオロジー変性剤は、不飽和モノ−又はジ−カルボン酸と（メタ）アクリル酸のＣ１〜Ｃ３０アルキルエステルとのポリアクリレートを含み得る。このようなコポリマーは、Ｎｏｖｅｏｎ  Ｉｎｃから商品名Ｃａｒｂｏｐｏｌ  Ａｑｕａ  ３０（登録商標）で入手可能である。
【００４８】
レオロジー変性剤が存在せず、所望のずり減粘特性を液体組成物に付与する目的で、液体組成物は界面活性剤相化学又はゲル相を介して内部構造化することができる。
【００４９】
本発明の態様としては、洗濯洗剤組成物（例えば、ＴＩＤＥ（商標））、硬質表面洗浄剤（例えば、ＭＲ  ＣＬＥＡＮ（商標））、自動食器洗浄用液体（例えば、ＣＡＳＣＡＤＥ（商標））、食器洗浄用液体（例えば、ＤＡＷＮ（商標））、及び床洗浄剤（例えば、ＳＷＩＦＦＥＲ（商標））中での本発明の封入体の使用が挙げられる。洗浄組成物の非限定的な例としては、米国特許第４，５１５，７０５号；４，５３７，７０６号；４，５３７，７０７号；４，５５０，８６２号；４，５６１，９９８号；４，５９７，８９８号；４，９６８，４５１号；５，５６５，１４５号；５，９２９，０２２号；６，２９４，５１４号；６，３７６，４４５号；７，１６９，７４１（Ｂ２）号及び７，２９７，６７４（Ｂ２）号、並びに、米国特許出願公開第２００５／０１３０８６４（Ａ１）号に記載されるものが挙げられる。本明細書に開示される洗浄組成物は、水性洗浄操作での使用中に、洗浄水のｐＨが約６．５〜約１２、又は約７．５〜１０．５となるように配合することができる。液体食器洗浄製品の配合は、典型的には約６．８〜約９．０のｐＨを有する。洗浄製品は、通常、約７〜約１２のｐＨを有するように配合される。推奨される使用量でのｐＨを制御する技術には、緩衝剤、アルカリ、酸などの使用を含み、当業者には周知である。
【００５０】
本明細書に開示される布地処理組成物は通常、布地柔軟化活性物質（「ＦＳＡ」）を含む。好適な布地柔軟化活性物質としては、第四級アンモニウム化合物、アミン、脂肪酸エステル、ショ糖エステル、シリコーン、分散性ポリオレフィン、粘土、多糖類、脂肪油、ポリマーラテックス、及びこれらの混合物からなる群から選択される物質が挙げられるが、これらに限定されない。
【００５１】
補助材料
本発明の各消費者製品実施形態に必須ではないが、以下に例示される補助剤の非限定的なリストは、本消費者製品での使用に好適であり、例えば、性能を補助若しくは向上させるために、洗浄される基材の処理のために、又は香料、着色剤、染料などを用いる場合のように組成物の審美性を変化させるために、望ましくは本発明の特定の実施形態に組み込まれてもよい。このような追加的構成成分の明確な性質、及びそれを組み込む濃度は、組成物の物理的形態及び使用されるべき作業の性質に依存する。好適な補助剤物質としては、界面活性剤、ビルダー、キレート剤、染料移行防止剤、分散剤、酵素、及び酵素安定剤、触媒材料、漂白活性化剤、ポリマー分散剤、粘土汚れ除去／再付着防止剤、増白剤、発泡抑制剤、染料、付加香料及び香料送達システム、構造弾性化剤、増粘剤／構造化剤、柔軟仕上げ剤、キャリア、向水性物質、加工助剤及び／又は顔料が挙げられるが、これらに限定されない。下記開示に加えて、このような他の補助剤の好適な例、及び使用濃度は、米国特許第５，５７６，２８２号、同第６，３０６，８１２（Ｂ１）号及び同第６，３２６，３４８（Ｂ１）号に見られ、これらは参照により組み込まれる。
【００５２】
上述のように、補助剤成分は、本発明の各消費者製品実施形態に必須のものではない。したがって、本出願人らの組成物の特定の実施形態は、以下の補助剤材料の１つ以上を含有しない：漂白活性化剤、界面活性剤、ビルダー、キレート剤、移染防止剤、分散剤、酵素、及び酵素安定剤、触媒金属錯体、ポリマー分散剤、粘土及び汚れ除去／再付着防止剤、増白剤、起泡抑制剤、染料、付加香料及び香料送達システム、構造弾性化剤、増粘剤／構造化剤、柔軟仕上げ剤、キャリア、向水性物質、加工助剤及び／又は顔料。しかし、１つ以上の補助剤が存在する場合、このような１つ以上の補助剤は、以下に詳細に記載されるように存在してもよい。
【００５３】
界面活性剤−本発明による組成物は、界面活性剤又は界面活性剤系を含むことができ、その際、界面活性剤は、非イオン性及び／若しくはアニオン性及び／若しくはカチオン性界面活性剤並びに／又は両性及び／若しくは双極性及び／若しくは半極性非イオン性界面活性剤から選択できる。界面活性剤は、典型的には洗浄組成物の約０．１重量％から、約１重量％から、又は更には約５重量％から、洗浄組成物の約９９．９重量％まで、約８０重量％まで、約３５重量％まで、又は更には約３０重量％までの濃度で存在する。
【００５４】
ビルダー−本発明の組成物は、１つ以上の洗剤ビルダー又はビルダー系を含むことができる。存在する場合、組成物は典型的には、少なくとも約１重量％のビルダー、又は約５重量％又は１０重量％から約８０重量％まで、５０重量％まで、又は更には３０重量％までのこのようなビルダーを含む。ビルダーとしては、ポリホスフェートのアルカリ金属、アンモニウム及びアルカノールアンモニウム塩、アルカリ金属ケイ酸塩、アルカリ土類及びアルカリ金属炭酸塩、アルミノシリケートビルダー、ポリカルボキシレート化合物、エーテルヒドロキシポリカルボキシレート、無水マレイン酸とエチレン又はビニルメチルエーテルとのコポリマー、１，３，５−トリヒドロキシベンゼン−２，４，６−トリスルホン酸、及びカルボキシメチルオキシコハク酸、エチレンジアミン四酢酸及びニトリロ三酢酸のようなポリ酢酸の種々のアルカリ金属、アンモニウム及び置換アンモニウム塩、並びにメリト酸、コハク酸、オキシジコハク酸、ポリマレイン酸、ベンゼン１，３，５−トリカルボン酸、カルボキシメチルオキシコハク酸、及びそれらの可溶性塩のようなポリカルボン酸塩が挙げられるが、これらに限定されない。
【００５５】
キレート化剤−本明細書の組成物はまた、任意で１つ以上の銅、鉄、及び／又はマンガンキレート化剤を含有してもよい。使用される場合、キレート化剤は、一般に、本明細書の組成物の約０．１重量％〜約１５重量％、又は更には本明細書の組成物の約３．０重量％〜約１５重量％を構成する。
【００５６】
移染防止剤−本発明の組成物はまた、１つ以上の移染防止剤を含んでもよい。好適なポリマー移染防止剤としては、ポリビニルピロリドンポリマー、ポリアミンＮ−オキシドポリマー、Ｎ−ビニルピロリドンとＮ−ビニルイミダゾールのコポリマー、ポリビニルオキサゾリドン及びポリビニルイミダゾール又はこれらの混合物が挙げられるが、これらに限定されない。本明細書の組成物中に存在する場合、移染防止剤は、洗浄組成物の約０．０００１重量％から、約０．０１重量％から、約０．０５重量％から、洗浄組成物の約１０重量％まで、約２重量％まで、又は更には約１重量％までの濃度で存在する。
【００５７】
分散剤−本発明の組成物はまた、分散剤を含むことができる。好適な水溶性有機材料は、ホモポリマー又はコポリマーの酸又はそれらの塩であり、それらのうちのポリカルボン酸は、互いに炭素原子２個を超えない程度に離れている少なくとも２個のカルボキシル基を含み得る。
【００５８】
酵素−組成物は、洗浄性能効果、及び／又は布地ケア効果を提供する１つ以上の洗浄性酵素を含むことができる。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ及びアミラーゼ又はこれらの混合物が挙げられるが、これらに限定されない。典型的な組み合わせは、プロテアーゼ、リパーゼ、クチナーゼ、及び／又はセルラーゼのような従来の適用可能な酵素をアミラーゼと組み合わせた混液である。
【００５９】
酵素安定剤−組成物、例えば洗剤において使用するための酵素は、さまざまな技術によって安定化可能である本明細書に用いられる酵素は、カルシウムイオン及び／又はマグネシウムイオンを酵素に供給する、最終組成物中のカルシウム及び／又はマグネシウムイオンの水溶性供給源の存在によって安定化させることができる。
【００６０】
触媒金属錯体−本出願人らの組成物は、触媒金属錯体を包含してもよい。金属含有漂白触媒の１つの種類は、銅、鉄、チタン、ルテニウム、タングステン、モリブデン、又はマンガンのカチオンのような、限定された漂白触媒活性の遷移金属カチオン、亜鉛又はアルミニウムのカチオンのような、漂白触媒活性をほとんど又は全くもたない補助金属カチオン、並びに触媒金属及び補助金属のカチオンに対して限定された安定度定数を有する金属イオン封鎖剤、特にエチレンジアミン四酢酸、エチレンジアミンテトラ（メチレンホスホン酸）及びそれらの水溶性の塩類を含む触媒系である。このような触媒は、米国特許第４，４３０，２４３号に開示される。
【００６１】
所望する場合、本明細書の組成物はマンガン化合物を用いて触媒可能である。このような化合物及び使用濃度は当該技術分野で周知であり、例えば、米国特許第５，５７６，２８２号に開示されるマンガン系触媒が挙げられる。
【００６２】
本明細書において有用なコバルト漂白触媒は既知であり、例えば、米国特許第５，５９７，９３６号及び第５，５９５，９６７号に記載されている。このようなコバルト触媒は、既知の手順、例えば、米国特許第５，５９７，９３６号及び第５，５９５，９６７号において教示されているような手順によって容易に製造される。
【００６３】
本明細書の組成物はまた、好適なことに、大多環状の剛性配位子（「ＭＲＬ」と省略される）の遷移金属錯体を含んでもよい。実際的な事柄として、限定するためではないが、本明細書の組成物及び洗浄法を水性洗浄媒体において少なくとも１億分の１のオーダーの有益剤ＭＲＬ種を提供するように調整して、約０．００５ｐｐｍ〜約２５ｐｐｍ、約０．０５ｐｐｍ〜約１０ｐｐｍ、又は更には約０．１ｐｐｍ〜約５ｐｐｍのＭＲＬを洗浄溶液中に提供することができる。
【００６４】
遷移金属漂白剤触媒中の好ましい遷移金属としては、マンガン、鉄、及びクロムが挙げられる。本明細書における好ましいＭＲＬは、架橋した特定の種類の超剛性配位子、例えば、５，１２−ジエチル−１，５，８，１２−テトラアザビシクロ［６．６．２］ヘキサデカンである。
【００６５】
好適な遷移金属ＭＲＬは、既知の手順、例えば、国際公開第００／３２６０１号及び米国特許第６，２２５，４６４号で教示されているような手順によって容易に製造される。
【００６６】
好適な増粘剤／構造化剤、及びこれらの有用なレベルは、米国特許出願公開第２００５／０１３０８６４（Ａ１）号及び米国特許第７，１６９，７４１（Ｂ２）号及び７，２９７，６７４（Ｂ２）号に記載されている。
【００６７】
消費者製品の製造及び使用プロセス
本発明の消費者製品の実施形態は、任意の好適な形態に処方することができ、配合者によって選択される任意のプロセスによって調製することができ、その非限定的な例は、全て本明細書に参照により組み込まれる米国特許第５，８７９，５８４号、同第５，６９１，２９７号、同第５，５７４，００５号、同第５，５６９，６４５号、同第５，５６５，４２２号、同第５，５１６，４４８号、同第５，４８９，３９２号、及び同第５，４８６，３０３号に記載されている。
【００６８】
使用方法
本明細書に開示されている封入体を含有する消費者製品などの組成物は、部位、とりわけ表面又は布地を洗浄及び処理するために使用することができる。通常、このような部位の少なくとも一部は、希釈されない形態又は希釈された液体、例えば洗浄液の、本出願人らの組成物の実施形態と接触させ、そしてその後、任意に、その部位を洗浄及び／又はすすぎ洗いしてもよい。１つの態様では、ある部位が所望により洗浄され及び／又はすすがれ、本発明による封入体に又は上記封入体を含む組成物に接触され、次に所望により洗浄され及び／又はすすがれる。本発明の目的のために、洗浄には擦ること及び機械的撹拌が含まれるが、これらに限定されない。部位は、例えば、布地、通常の消費者使用条件で洗濯又は処理できる布地といった、ほとんどの任意材料を含み得る。開示される組成物を含み得る液体のｐＨは、約３〜約１１．５であってよい。こうした組成物は、典型的には溶液中で約５００ｐｐｍ〜約１５，０００ｐｐｍの濃度で使用される。洗浄溶媒が水である場合、水の温度は通常約５℃〜約９０℃であり、部位が布地を含む場合、水対布地の比は通常約１：１〜約３０：１である。
【００６９】
試験方法
本出願の「試験方法」の項で開示される試験方法は、本出願人らの発明が本明細書に記載され及び特許請求されているように、本出願人らの発明のパラメータの各値を求めるために使用されるべきであると理解される。
【００７０】
沈降速度の測定方法
１．）試験される製品の１ｋｇサンプルをプラスチック広口瓶に入れ、広口瓶を固定して垂直の動きだけを可能にし、サンプルを周囲温度２２℃±３℃にて２４時間にわたって均衡化させる。  
２．）サンプルをＬａｎｓｍｏｎｔ振動テーブルモデル１８００−１０上に置き、テーブルに固定する。  
３．）ＡＳＴＭ４１９６「Ｔｒｕｃｋ  Ａｓｓｕｒａｎｃｅ  ＩＩ」に従ってサンプルを試験する。  
４．）完了後、振動テーブルからサンプルを取り外す。  
５．）使い捨てピペットを用いて、サンプル広口瓶の上部及び底部から６０ｍＬサンプルを採取する。  
６．）Ｌａｓｅｎｔｅｃ  ＦＢＲＭ  Ｐａｒｔｉｃｌｅ  Ｓｉｚｅ  Ａｎａｌｙｚｅｒ，Ｍｏｄｅｌ  ＃  ＰＩ−１４／２０６を用い、以下に従って、「上部」及び「底部」のアリコートを粒径及び計数について分析する。  
Ｌａｓｅｎｔｅｃ測定の設定：
測定範囲：１０００μｍ
チャネルグルーピング：１〜５００μｍ  ９０ログチャネル
スキャン速度：２ｍ／秒
時間平均化なし
測定持続時間：３秒
およそ６０ｍＬの製品をビーカー内で測定し、４００ｒｐｍで最短でも２分にわたって撹拌し、その間に測定を行う。  
７．）本明細書において、試験サンプルの上部及び底部の粒子計数が２０％を超える差異を有する場合、試験製品の沈降速度は約１．５ｃｍ／年を超え、試験サンプルの上部及び底部の粒子計数が約１０％〜２０％の差異を有する場合、試験製品の沈降速度は約１．０ｃｍ／年〜約１．５ｃｍ／年であり、試験サンプルの上部及び底部の粒子計数が約８％〜１０％の差異を有する場合、試験製品の沈降速度は約０．５ｃｍ／年〜約１．０ｃｍ／年であり、試験サンプルの上部及び底部の粒子計数が約５％〜８％の差異を有する場合、試験製品の沈降速度は約０．１ｃｍ／年〜約０．５ｃｍ／年である。
【００７１】
バルク液体洗剤密度の測定
Ｉ．機器
精密度が０．００１ｇに至る秤を使用すべきである。
【００７２】
比重カップは、Ｐａｕｌ  Ｎ．Ｇａｒｄｎｅｒ  Ｃｏ．製のモデル＃  ＷＧ−ＳＳ−８３．２／Ｃである。各ステンレス鋼カップはＭＩＬ  ＳＴＤ  ４５６６２Ａに合うように較正されており、添付の証明書を有する。このようなカップは、８３．２ｍＬの容量を有する。
【００７３】
ＩＩ．試験手順
１．）比重カップを設置し、秤に蓋をし、秤を計量する。  
２．）カップと蓋を秤から取り出し、８３．２ｍＬの所望の製品（すなわち、液体洗剤）を充填する。カップを完全に満たすのに十分な製品が存在するのを確かめられるように、蓋の内側は凹部になっている。  
３．）カップが一杯かどうか判定するために、カップに蓋を置いて完全に密封する。製品は蓋の孔から流れ出るようであれば、製品がカップの容量を満たしていることが分かる。製品が孔から出てこない場合には、更に製品を添加すべきである。  
４．）蓋から過剰な製品を全て拭き取る。  
５．）カップ及び蓋を秤上に置き、重量を記録する。
【００７４】
ＩＩＩ．計算
この試験において、バルク液体（すなわち、液体洗剤）の比重＝カップ内の製品の質量／８３．２ｍＬである。
【００７５】
封入体スラリー密度の測定
バルク液体の代わりに封入体スラリーを用いることを除き、「バルク液体洗剤密度の測定」についてのプロトコルに従う。
【００７６】
封入体密度の測定
以下のプロトコルにより得られる封入体を代わりに用いることを除いて、「バルク液体洗剤密度の測定」についてのプロトコルに従う。
【００７７】
遠心分離したバッチからではなく、デカントしたバッチから、マイクロカプセル（封入体）の密度を測定する。方法は、次の通りである。
【００７８】
開始時のスラリーは、２５％の固形分に加えて追加的な６％のＮａＣｌ塩を含む。
【００７９】
スラリーを７２時間にわたってデカントさせておく。
【００８０】
スラリーからの封入体ケーキを取り出し、密度カップで試験する。
【００８１】
工程１．清浄なカップの重量を２５℃にてグラム単位で測定する。  
工程２．カバーを取り外し、試験される物質を周縁の１．７ｍｍ以内まで充填する。  
工程３．空気及び過剰な物質が口から漏れないように、注意深くカバーを再び置く。  
工程４．カバー上を拭き取って余剰を取り除いて、再計量する。カップの元々の重量を減算することにより、内容物の重量が判明する。
【００８２】
以下の関係式を適用する。  
米ガロン当たりのポンド＝カップ内容物のグラム重量×０．１００００
比重＝カップ内容物のグラム重量×０．０１２０２
【００８３】
次に、上記工程１〜４から得たデータ及び上記関係式を用いて、封入体密度を測定する。
【実施例】
【００８４】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのような全ての変更及び修正を、添付の「特許請求の範囲」で扱うものとする。
【００８５】
実施例１：高コア密度（≧１）を有するメラミンホルムアルデヒド（ＭＦ）壁香料カプセル
２５グラムのブチルアクリレート−アクリル酸コポリマー乳化剤（Ｃｏｌｌｏｉｄ  Ｃ３５１、２５％固形分、ｐＫａ  ４．５〜４．７、Ｋｅｍｉｒａ  Ｃｈｅｍｉｃａｌｓ，Ｉｎｃ．Ｋｅｎｎｅｓａｗ，Ｇｅｏｒｇｉａ  Ｕ．Ｓ．Ａ．）を脱イオン水２００グラムに溶解及び混合する。溶液のｐＨを、水酸化ナトリウム溶液でｐＨ  ５．０に調整する。部分メチル化メチロールメラミン樹脂（Ｃｙｍｅｌ  ３８５、８０％固形分、Ｃｙｔｅｃ  Ｉｎｄｕｓｔｒｉｅｓ  Ｗｅｓｔ  Ｐａｔｅｒｓｏｎ，Ｎｅｗ  Ｊｅｒｓｅｙ，Ｕ．Ｓ．Ａ．）５グラムを乳化剤溶液に添加する。１５０グラムの香油と５０グラムの臭素化植物油（ｄ＝１．３；Ｖｉｒｇｉｎｉａ  Ｄａｒｅ，Ｂｒｏｏｋｌｙｎ，ＮＹ，ＵＳＡ）を、機械的撹拌を行いながら、予備混合物に添加し、温度を５０℃に上げる。安定なエマルションが得られるまで高速で混合した後に、第２の溶液及び４グラムの硫酸ナトリウム塩をこのエマルションに添加する。この第２の溶液は、ブチルアクリレート−アクリル酸コポリマー乳化剤（Ｃｏｌｌｏｉｄ  Ｃ３５１、２５％固形分、ｐＫａ  ４．５〜４．７、Ｋｅｍｉｒａ）１０グラム、蒸留水１２０グラム、ｐＨを４．８に調整するための水酸化ナトリウム溶液、部分メチル化メチロールメラミン樹脂（Ｃｙｍｅｌ  ３８５、８０％固形分、Ｃｙｔｅｃ）２５グラムを含有する。この混合物を７０℃に加熱し、連続的に撹拌しながら一晩にわたって維持して、封入プロセスを完了させる。アセトアセトアミド（Ｓｉｇｍａ−Ａｌｄｒｉｃｈ，Ｓａｉｎｔ  Ｌｏｕｉｓ，Ｍｉｓｓｏｕｒｉ，Ｕ．Ｓ．Ａ．）２３グラムをこの懸濁液に添加する。７８０型Ａｃｃｕｓｉｚｅｒにより分析したときに３０μｍの平均カプセルサイズを得る。
【００８６】
実施例２：高コア密度（≧１）を有するメラミンホルムアルデヒド（ＭＦ）壁香料カプセル
２５グラムのブチルアクリレート−アクリル酸コポリマー乳化剤（Ｃｏｌｌｏｉｄ  Ｃ３５１、２５％固形分、ｐＫａ  ４．５〜４．７、Ｋｅｍｉｒａ  Ｃｈｅｍｉｃａｌｓ，Ｉｎｃ．Ｋｅｎｎｅｓａｗ，Ｇｅｏｒｇｉａ  Ｕ．Ｓ．Ａ．）を脱イオン水２００グラムに溶解及び混合する。溶液のｐＨを、水酸化ナトリウム溶液でｐＨ  ５．０に調整する。部分メチル化メチロールメラミン樹脂（Ｃｙｍｅｌ  ３８５、８０％固形分、Ｃｙｔｅｃ  Ｉｎｄｕｓｔｒｉｅｓ  Ｗｅｓｔ  Ｐａｔｅｒｓｏｎ，Ｎｅｗ  Ｊｅｒｓｅｙ，Ｕ．Ｓ．Ａ．）５グラムを乳化剤溶液に添加する。１５０グラムの香油と１０グラムのＴｉｎｔ  Ａｙｄ  ＰＣ  ９００３（ｄ＝２．１６、Ｅｌｅｍｅｎｔｉｓ，Ｓｐｅｃｉａｌｉｔｉｅｓ，Ｈｉｇｈｔｓｔｏｎｅｓ，ＮＪ，ＵＳＡ）を、機械的撹拌を行いながら、予備混合物に添加し、温度を５０℃に上げる。安定なエマルションが得られるまで高速で混合した後に、第２の溶液及び４グラムの硫酸ナトリウム塩をこのエマルションに添加する。この第２の溶液は、ブチルアクリレート−アクリル酸コポリマー乳化剤（Ｃｏｌｌｏｉｄ  Ｃ３５１、２５％固形分、ｐＫａ  ４．５〜４．７、Ｋｅｍｉｒａ）１０グラム、蒸留水１２０グラム、ｐＨを４．８に調整するための水酸化ナトリウム溶液、部分メチル化メチロールメラミン樹脂（Ｃｙｍｅｌ  ３８５、８０％固形分、Ｃｙｔｅｃ）２５グラムを含有する。この混合物を７０℃に加熱し、連続的に撹拌しながら一晩にわたって維持して、封入プロセスを完了させる。アセトアセトアミド（Ｓｉｇｍａ−Ａｌｄｒｉｃｈ，Ｓａｉｎｔ  Ｌｏｕｉｓ，Ｍｉｓｓｏｕｒｉ，Ｕ．Ｓ．Ａ．）２３グラムをこの懸濁液に添加する。７８０型Ａｃｃｕｓｉｚｅｒにより分析したときに３０μｍの平均カプセルサイズを得る。
【００８７】
実施例３：高コア密度（≧１）を有するメラミンホルムアルデヒド（ＭＦ）壁香料カプセル
２５グラムのブチルアクリレート−アクリル酸コポリマー乳化剤（Ｃｏｌｌｏｉｄ  Ｃ３５１、２５％固形分、ｐＫａ  ４．５〜４．７、Ｋｅｍｉｒａ  Ｃｈｅｍｉｃａｌｓ，Ｉｎｃ．Ｋｅｎｎｅｓａｗ，Ｇｅｏｒｇｉａ  Ｕ．Ｓ．Ａ．）を脱イオン水２００グラムに溶解及び混合する。溶液のｐＨを、水酸化ナトリウム溶液でｐＨ  ５．０に調整する。部分メチル化メチロールメラミン樹脂（Ｃｙｍｅｌ  ３８５、８０％固形分、Ｃｙｔｅｃ  Ｉｎｄｕｓｔｒｉｅｓ  Ｗｅｓｔ  Ｐａｔｅｒｓｏｎ，Ｎｅｗ  Ｊｅｒｓｅｙ，Ｕ．Ｓ．Ａ．）５グラムを乳化剤溶液に添加する。１５０グラムの香油と１グラムのＢｅｎｔｏｎｅ  １０００（ｄ＝１．６９、Ｅｌｅｍｅｎｔｉｓ  Ｓｐｅｃｉａｌｉｔｉｅｓ，Ｈｉｇｈｔｓｔｏｎｅｓ，ＮＪ，ＵＳＡ）と１５ｇのＴｉｎｔ  Ａｙｄ  ＰＣ  ９００３（ｄ＝２．１６、Ｅｌｅｍｅｎｔｉｓ，Ｓｐｅｃｉａｌｉｔｉｅｓ，Ｈｉｇｈｔｓｔｏｎｅｓ，ＮＪ，ＵＳＡ）とを、機械的撹拌を行いながら、予備混合物に添加し、温度を５０℃に上げる。安定なエマルションが得られるまで高速で混合した後に、第２の溶液及び４グラムの硫酸ナトリウム塩をこのエマルションに添加する。この第２の溶液は、ブチルアクリレート−アクリル酸コポリマー乳化剤（Ｃｏｌｌｏｉｄ  Ｃ３５１、２５％固形分、ｐＫａ４．５〜４．７、Ｋｅｍｉｒａ）１０グラム、蒸留水１２０グラム、ｐＨを４．８に調整するための水酸化ナトリウム溶液、部分メチル化メチロールメラミン樹脂（Ｃｙｍｅｌ  ３８５、８０％固形分、Ｃｙｔｅｃ）２５グラムを含有する。この混合物を７０℃まで加熱し、連続的に攪拌しながら一晩にわたって維持して、カプセル封入プロセスを完了させる。アセトアセトアミド（Ｓｉｇｍａ−Ａｌｄｒｉｃｈ，Ｓａｉｎｔ  Ｌｏｕｉｓ，Ｍｉｓｓｏｕｒｉ，Ｕ．Ｓ．Ａ．）２３グラムをこの懸濁液に添加する。７８０型Ａｃｃｕｓｉｚｅｒにより分析したときに３０μｍの平均カプセルサイズを得る。
【００８８】
実施例４
本発明の利益を実証するために、本出願人は以下の液体洗剤マトリックスＡを調製した。
【表２】
2012516370.tif 000006
【表３】
2012516370.tif 000007
【００８９】
（１）Ｍｅｒｑｕａｔ  ５３００：９０％  ＰＡＭ／５％  ＡＡ／５％ＭＡＰＴＡＣのモル比のターポリマー、Ｎａｌｃｏにより製造される。
【００９０】
実施例１〜３からの香料マイクロカプセルについての濃度は、カプセルを介して送達される香油又はパラフィン油として表される。
【００９１】
本明細書に開示されている寸法及び値は、列挙した正確な数値に厳しく制限されるものとして理解すべきではない。それよりむしろ、特に指定されない限り、こうした各寸法は、列挙した値と、その値周辺の機能的に同等の範囲との両方を意味することを意図したものである。例えば、「４０ｍｍ」として開示された寸法は、「約４０ｍｍ」を意味することを意図する。
【００９２】
「発明を実施するための形態」で引用した全ての文献は、関連部分において本明細書に参考として組み込まれるが、いずれの文献の引用も、それが本発明に関して先行技術であることを容認するものとして解釈すべきではない。本書における用語のいずれかの意味又は定義が、参考として組み込まれた文献における同一の用語のいずれかの意味又は定義と相反する限りにおいては、本書においてその用語に与えられた意味又は定義が適用されるものとする。
【００９３】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのような全ての変更及び修正を、添付の「特許請求の範囲」で扱うものとする。
【国際調査報告】
2012516370.tif 000008
2012516370.tif 000009